(57)【要約】【課題】直接音と反射音との干渉を減らし、音声の品位低下を防止するスピーカシステム、表示装置、テレビジョン装置を提供する。【解決手段】表示装置の側方に設けられ、各放音面が表示装置の上下方向で対向している第１スピーカユニット１２および第２スピーカユニット２２を備えたスピーカシステムである。第１スピーカユニットと第２のスピーカユニットとを連結する連結部材３０が、表示装置の背面側に設けられている。連結部材が、連結部材を貫通する複数の孔３５を有する。【選択図】図３
2019050517.tif 000002
【特許請求の範囲】
【請求項１】
表示装置の側方に設けられ、各放音面が表示装置の上下方向で対向している第１スピーカユニットおよび第２スピーカユニットを備えたスピーカシステムであって、
前記第１スピーカユニットと前記第２のスピーカユニットとを連結する連結部材が、前記表示装置の背面側に設けられ、
前記連結部材が、該連結部材を貫通する複数の孔を有することを特徴とするスピーカシステム。
【請求項２】
請求項１に記載のスピーカシステムであって、
前記第１スピーカユニットと前記第２のスピーカユニットとの中間位置における前記孔の開口面積が、前記第１スピーカユニットの近傍位置あるいは前記第２のスピーカユニットの近傍位置における前記孔の開口面積よりも大きく形成されることを特徴とするスピーカシステム。
【請求項３】
請求項１または２に記載のスピーカシステムであって、
前記孔がハニカム形状であることを特徴とするスピーカシステム。
【請求項４】
請求項１から３のいずれかに記載のスピーカシステムと、表示パネルとを備えた表示装置。
【請求項５】
請求項４に記載の表示装置を備えたテレビジョン装置。
【発明の詳細な説明】
【技術分野】
【０００１】
本発明は、スピーカシステム、表示装置、テレビジョン装置に関し、詳細には、表示装置の側方に設けられ、各放音面が表示装置の上下方向で対向している第１スピーカユニットおよび第２スピーカユニットを備えたスピーカシステム、表示装置、テレビジョン装置に関する。
【背景技術】
【０００２】
スピーカシステムには、２つのスピーカユニットを並べて配置し、各放音面をいずれも表示装置の正面側に向けた構造が知られている。この構造の場合、最適な音場は、各放音面からの距離が等しい位置に限られる。このため、例えば、特許文献１には、各放音面を表示装置の上下方向で対向配置させた構造が開示されている。
【先行技術文献】
【特許文献】
【０００３】
【特許文献１】国際公開第２０１７／００２８７６号
【発明の概要】
【発明が解決しようとする課題】
【０００４】
ところで、特許文献１に記載の構造では、上下に対向する各スピーカユニットが連結部材で連結されている。
しかしながら、各スピーカユニットからの音声が連結部材で反射すると、スピーカユニットから出力された直接音と、連結部材で反射した反射音とが干渉し、違和感のある音が生ずる場合がある。この場合、連結部材に吸音材を配置して反射音を抑えるのは、吸音材が別途必要になるし、吸音材の取り付け作業も要するので手間である。
【０００５】
本発明は、上述のような実情に鑑みてなされたもので、直接音と反射音との干渉を減らし、音声の品位低下を防止するスピーカシステム、表示装置、テレビジョン装置を提供することを目的とする。
【課題を解決するための手段】
【０００６】
上記課題を解決するために、本発明の第１の技術手段は、表示装置の側方に設けられ、各放音面が表示装置の上下方向で対向している第１スピーカユニットおよび第２スピーカユニットを備えたスピーカシステムであって、前記第１スピーカユニットと前記第２のスピーカユニットとを連結する連結部材が、前記表示装置の背面側に設けられ、前記連結部材が、該連結部材を貫通する複数の孔を有することを特徴としたものである。
【０００７】
第２の技術手段は、第１の技術手段において、前記第１スピーカユニットと前記第２のスピーカユニットとの中間位置における前記孔の開口面積が、前記第１スピーカユニットの近傍位置あるいは前記第２のスピーカユニットの近傍位置における前記孔の開口面積よりも大きく形成されることを特徴としたものである。
【０００８】
第３の技術手段は、第１または第２の技術手段において、前記孔がハニカム形状であることを特徴としたものである。
【０００９】
第４の技術手段は、第１から第３のいずれか１のスピーカシステムと、表示パネルとを備えた表示装置であることを特徴としたものである。
【００１０】
第５の技術手段は、第４の技術手段を備えたテレビジョン装置であることを特徴としたものである。
【発明の効果】
【００１１】
本発明によれば、各スピーカユニットからの音声は、連結部材の孔を通過し、連結部材で反射しにくくなるので、従来に比べて違和感のある音が生じにくくなる。よって、音声の品位低下を防止することができる。
【図面の簡単な説明】
【００１２】
【図１】本発明の表示装置の斜視図である。
【図２】表示装置の分解斜視図である。
【図３】第１実施形態によるスピーカシステムを説明するための図である。
【図４】音圧レベルの測定結果を説明するための図である。
【図５】音圧レベルの測定結果を説明するための図である。
【図６】第３実施形態によるスピーカシステムを説明するための図である。
【発明を実施するための形態】
【００１３】
以下、添付図面を参照しながら、本発明のスピーカシステム、表示装置、テレビジョン装置に係る好適な実施の形態について説明する。
図１は、本発明の表示装置の斜視図である。表示装置１（例えば薄型のテレビジョン装置）は、パネルモジュール３、スピーカシステム７Ｌ，７Ｒ、背面筐体６を有している。なお、パネルモジュール３が本発明の表示パネルに相当する。
【００１４】
スピーカシステム７Ｌは、表示装置１の正面から見てパネルモジュール３の左側に設置され、スピーカシステム７Ｒは、パネルモジュール３の右側に設置されている。各スピーカシステム７Ｌ，７Ｒは、表示装置１の正面側でパネルモジュール３と例えば面一になるように形成され、表示装置１の背面側で背面筐体６と例えば面一になるように形成されている。各スピーカシステム７Ｌ，７Ｒからは、可聴帯域内（例えば２０Ｈｚ〜２０ｋＨｚ程度）の音声を出力できる。
【００１５】
（第１実施形態）
図２は、表示装置の分解斜視図である。パネルモジュール３は、例えば、液晶層やガラス基板などを有した矩形状のＬＣＤ（Liquid Crystal Display）パネル４や、その図示は省略するが、例えば、保護ガラス、偏光板、拡散板、バックライト等を有している。ＬＣＤパネル４の後方には、表示装置１を駆動させる回路基板５が設けられる。
【００１６】
パネルモジュール３や各スピーカシステム７Ｌ，７Ｒは、例えば樹脂製の枠体２ａ，２ｂで保持される。枠体２ａは、水平方向に延びてパネルモジュール３の上面に取り付けられ、さらに各スピーカシステム７Ｌ，７Ｒの上端を覆っている。枠体２ｂは、枠体２ａと同様に水平方向に延びているが、その中央に光表示部２ｃを保持してパネルモジュール３の下面に取り付けられており、さらに各スピーカシステム７Ｌ，７Ｒの下端を覆っている。
【００１７】
パネルモジュール３を、ミドルキャビ（図示省略）を用いて背面筐体６に取り付けることも可能である。この場合、枠体２ａ，２ｂはパネルモジュール３のほか、ミドルキャビも保持する。
各スピーカシステム７Ｌ，７Ｒは、２つのスピーカ装置（第１スピーカ装置１０、第２スピーカ装置２０）をそれぞれ有している。
【００１８】
第１スピーカ装置１０と第２スピーカ装置２０は、後述のように、互いの放音面が対向して配置されており、同じアンプ（図示省略）に接続され、同じ音声を出力する。第１スピーカ装置１０、第２スピーカ装置２０は、リアカバー８で覆われており、表示装置１の正面側からスピーカネット９で覆われる。
なお、スピーカシステム７Ｌとスピーカシステム７Ｒは同じ構造であるため、以下は、スピーカシステム７Ｒについて詳細に説明し、スピーカシステム７Ｌの説明は省略する。
【００１９】
図３（Ａ）は、スピーカシステム７Ｒの正面図であり、図２で説明した第１，２スピーカ装置１０，２０から、図３で説明する第１，２エンクロージャ１１，２１の正面側に位置して第１スピーカユニット１２、共鳴管１３や、第２スピーカユニット２２、共鳴管２３をそれぞれ覆うカバー１０ａ，２０ａ（図２に示す）を外した状態を示している。図３（Ｂ）は図３（Ａ）の拡大図である。
第１スピーカ装置１０は、略円筒状に形成されて上下方向に延びた第１エンクロージャ１１を有する。図３（Ａ）に示すように、第１エンクロージャ１１には、第１スピーカユニット１２、共鳴管１３が収容される。第１スピーカユニット１２は、例えば中低音出力用のスピーカ（ミッドバススピーカ）であり、第１エンクロージャ１１の下端に設置されている。
【００２０】
第１スピーカユニット１２は、ボイスコイル（図示省略）などを配した磁気回路部１２ｂを有し、磁気回路部１２ｂの下端には振動板が設けられて、下方を向いた放音面１２ａが形成されている。
一方、第２スピーカ装置２０は、略円筒状に形成されて上下方向に延びた第２エンクロージャ２１を有する。第２エンクロージャ２１には、第２スピーカユニット２２、共鳴管２３が収容される。第２スピーカユニット２２は、例えばミッドバススピーカであり、第２エンクロージャ２１の上端に設置されている。
【００２１】
第２スピーカユニット２２は、ボイスコイル（図示省略）などを配した磁気回路部２２ｂを有し、磁気回路部２２ｂの上端には振動板が設けられて、上方を向いた放音面２２ａが形成されている。
このように、第１スピーカユニット１２の放音面１２ａと、第２スピーカユニット２２の放音面２２ａは、表示装置１の上下方向で対向している。
【００２２】
なお、第１，２スピーカユニット１２，２２は、ミッドバススピーカの例を挙げたが、他の種類のスピーカ、例えばツイータとスコーカ、ミッドハイスピーカ等であってもよい。
第１エンクロージャ１１と第２エンクロージャ２１との間には、連結部材３０が設けられている。具体的には、連結部材３０は、例えば表示装置１の正面側を開放した断面半円筒状に形成されており、表示装置１の背面側で、第１エンクロージャ１１の下端と第２エンクロージャ２１の上端を連結している。
【００２３】
図３（Ｂ）に示すように、連結部材３０には、複数の孔３５が設けられている。詳しくは、孔３５は、例えばハニカム形状に形成され、連結部材３０の表面と裏面とを貫通している。また、各孔３５は、連結部材３０の端に形成される孔を除き、同じ開口面積で形成され、ほぼ等間隔に設けられている。孔をハニカム形状にすれば、連結部材３０の強度を確保しつつ、孔を設けることができる。
また、孔の形状はハニカム形状に限定されるものではなく、丸形状、楕円形状、四角形状などでもよい。
【００２４】
次に、上記の孔３５を有した連結部材３０（第１実施形態）と、以下の比較例１に対し、スピーカシステム７Ｒのみを駆動した場合について、マイクロフォンを用いて音圧特性を測定した。
マイクロフォンはスピーカシステム７Ｒの周辺、詳しくは、連結部材３０の前方（正面）、表示装置１の正面から見て、連結部材３０の右前方（外側４５°）、連結部材３０の右方（外側９０°）、連結部材３０の左前方（内側４５°）、そして、連結部材３０の左方（内側９０°）にそれぞれ配置した。スピーカシステム７Ｒからマイクロフォンまでの距離は１ｍである。なお、スピーカシステム７Ｌのみを駆動させた場合の音圧特性は、スピーカシステム７Ｒのみを駆動させた場合のそれと基本的に同じであるため、スピーカシステム７Ｌのみを駆動させた場合は省略する。
【００２５】
図４は、比較例１に対する音圧レベルの測定結果を説明するための図である。
まず、比較例１は、連結部材３０に孔を形成していない。この場合、連結部材３０の前方（正面）の測定結果を図４に実線で、連結部材３０の右前方（外側４５°）を破線で、連結部材３０の右方（外側９０°）を点線で、連結部材３０の左前方（内側４５°）を１点鎖線で、連結部材３０の左方（内側９０°）を２点鎖線でそれぞれ示している。
【００２６】
例えば、４ｋＨｚ付近の帯域で述べると、図４に実線で示した連結部材３０の前方（正面）では音圧レベルが８５ｄＢ ＳＰＬであったのに対し、点線で示した連結部材３０の右方（外側９０°）では音圧レベルが７７ｄＢ ＳＰＬであった。つまり、連結部材３０に孔を形成しない場合には、外側９０°の音圧レベルが正面の音圧レベルに比べて８ｄＢ小さくなっており、測定位置による差異が大きかった。
【００２７】
図５は、第１実施形態に対する音圧レベルの測定結果を説明するための図である。
第１実施形態のような孔３５のある連結部材３０を用いた場合、比較例１と同様に、４ｋＨｚ付近の帯域で述べると、図５に実線で示した連結部材３０の前方（正面）では音圧レベルが８４ｄＢ ＳＰＬであったのに対し、点線で示した連結部材３０の右方（外側９０°）では音圧レベルが８１ｄＢ ＳＰＬであった。つまり、連結部材３０に孔を形成した場合には、外側９０°の音圧レベルが正面の音圧レベルに比べて３ｄＢの低下で済んでおり、比較例１に比べて測定位置による差異が小さいことが分かる。
【００２８】
また、図４で説明した比較例１の場合には、音圧レベルのピーク値が２ｋＨｚ付近や４ｋＨｚ付近に現れているが、図５で説明した第１実施形態の場合には、音圧レベルのピーク値が４ｋＨｚ付近にのみ現れている。これは、第１，２スピーカユニット１２，２２からの音声が、連結部材３０の孔３５を通過しており、連結部材３５で反射しにくくなり、周波数変化に対してよりフラットな音圧レベルが得られて、違和感のある音が生じにくくなったためと考えられる。この点も、比較例１に比べて音声の品位低下の防止になる。
【００２９】
（第２実施形態）
上記第１実施形態では、同じ開口面積の孔３５を均等に設けた連結部材３０の例を挙げて説明した。しかし、本発明は、この例に限定されるものではない。例えば、スピーカユニットからの距離に応じて、開口面積の大きさを変更してもよい。
具体的には、図示は省略するが、第１スピーカユニット１２と第２スピーカユニット２２との中間位置における孔の開口面積は、第１スピーカユニット１２の近傍位置（あるいは第２のスピーカユニット２２の近傍位置）における孔の開口面積よりも大きく形成してもよい。第１スピーカユニット１２と第２スピーカユニット２２との中間位置では音圧が高くなるが、当該中間位置の孔の開口面積を大きくするので、音声は表示装置の背面側に抜けやすくなり、違和感のある音を低減できる。
【００３０】
（第３実施形態）
図６は、第３実施形態によるスピーカシステムを説明するための図であり、連結部材３０にディフューザ（音響拡散器ともいう）３１を設けてもよい。
ディフューザ３１は、第１，２スピーカユニット１２，２２からの音声を表示装置１の正面側に向けて反射する機能を有しており、例えば、第１スピーカユニット１２の放音面１２ａと第２スピーカユニット２２の放音面２２ａとの中間位置に設置する。
【００３１】
なお、このディフューザ３１は、軸部（図示省略）を介して連結部材３０に固定されており、連結部材において軸部を保持する箇所には、孔を設けていない。
ディフューザ３１は、第１スピーカユニット１２の放音面１２ａに向けて凸状の曲面を有し、第２のスピーカユニット２２の放音面２２ａに向けて凸状の曲面を有している。これにより、第１，２スピーカユニット１２，２２からの音声は、表示装置１の前方の他、上下方向や左右方向にも均等に広がりやすくなる。よって、音声の品位低下をより一層防止することができる。
【符号の説明】
【００３２】
１…表示装置、２ａ，２ｂ…枠体、２ｃ…光表示部、３…パネルモジュール、４…ＬＣＤパネル、５…回路基板、６…背面筐体、７Ｌ，７Ｒ…スピーカシステム、８…リアカバー、９…スピーカネット、１０…第１スピーカ装置、１０ａ，２０ａ…カバー、１１…第１エンクロージャ、１２…第１スピーカユニット、１２ａ，２２ａ…放音面、１２ｂ，２２ｂ…磁気回路部、１３，２３…共鳴管、２０…第２スピーカ装置、２１…第２エンクロージャ、２２…第２スピーカユニット、３０…連結部材、３１…ディフューザ、３５…孔。
【図１】
2019050517.tif 000003
【図２】
2019050517.tif 000004
【図３】
2019050517.tif 000005
【図４】
2019050517.tif 000006
【図５】
2019050517.tif 000007
【図６】
2019050517.tif 000008